(57)【特許請求の範囲】
【請求項１】
基地局装置と移動局装置を含み、前記基地局装置は、下りパイロットチャネルと下り共通制御チャネルと下り共用制御チャネルと下り共用データチャネルを含む下りリンク信号を送信し、前記移動局装置は、前記基地局装置と上り制御チャネルを設定し、前記下りリンク信号の受信品質を測定して前記受信品質に応じた下りリンク信号品質情報ＣＱＩを前記上り制御チャネルを用いて前記基地局装置へ送信し、前記基地局装置は、前記下りリンク信号品質情報ＣＱＩを用いて移動局装置に対するデータの送信制御をなすようにした移動体通信システムであって、
前記移動局装置は、前記基地局装置により送信される下りリンク信号に含まれる自局宛てデータの有無を判断する受信データ判断手段と、前記受信データ判断手段により、前記基地局装置からの自局宛てデータが無いと判断された場合、下りリンク信号品質情報ＣＱＩの送信を停止して、予め定義された間欠受信期間に受信部を動作させ、該予め定義された間欠受信期間以外に受信部の動作を停止させる間欠受信モードに入る受信制御手段と、を含み、
前記基地局装置は、前記移動局装置により送られてきた前記下りリンク信号品質情報ＣＱＩの有無を判断する下りリンク信号品質情報ＣＱＩ判断手段と、前記下りリンク信号品質情報ＣＱＩ判断手段により、前記下りリンク信号品質情報ＣＱＩが無く、且つＲＬＣパケットデータバッファに前記移動局装置宛てのデータがある場合、前記移動局装置へ前記下りリンク信号を間欠受信可能期間に送信する下りリンク信号制御手段と、を含むことを特徴とする移動体通信システム。
【請求項２】
請求項１に記載の移動体通信システムにおいて、前記移動局装置の受信制御手段は、前記予め定義された間欠受信期間に受信部を動作させ、前記受信データ判断手段により、前記自局宛てのデータがあると判断された場合、前記予め定義された間欠受信期間以外にも受信部を動作させ、前記自局宛てのデータを受信し、前記下りリンク信号品質情報ＣＱＩの上り送信を再開することを特徴とする移動体通信システム。
【請求項３】
請求項１に記載の移動体通信システムにおいて、前記基地局装置の下りリンク信号制御手段は、前記予め定義された間欠受信期間に、前記移動局装置宛てのデータ制御情報および／または前記移動局装置宛てのデータを送信することを特徴とする移動体通信システム。
【請求項４】
請求項１に記載の移動体通信システムにおいて、前記基地局装置の下りリンク信号制御手段は、前記予め定義された間欠受信期間に、前記移動局装置宛てのデータの送信が、前記移動局装置からのフィードバックされた下りリンク信号品質情報ＣＱＩがあると判定される時点までの間に、ＡＭＣ方式に定義された低位ＭＣＳモードを使用することを特徴とする移動体通信システム。
【請求項５】
請求項１に記載の移動体通信システムにおいて、前記基地局装置の下りリンク信号制御手段は、前記予め定義された間欠受信期間に、前記移動局装置からのフィードバックされた下りリンク信号品質情報ＣＱＩがあると判定される時点までの間に、前記移動局装置宛てのデータの有無情報だけを送信することを特徴とする移動体通信システム。
【請求項６】
請求項１に記載の移動体通信システムにおいて、前記基地局装置の下りリンク信号制御手段は、前記予め定義された間欠受信期間に、前記移動局装置からのフィードバックされた下りリンク信号品質情報ＣＱＩがあると判定される時点までの間に、前記移動局装置宛てのデータを送信しないことを特徴とする移動体通信システム。
【請求項７】
請求項１に記載の移動体通信システムにおいて、前記基地局装置の下りリンク信号制御手段は、前記下りリンク信号品質情報ＣＱＩに従って、ＡＭＣ方式に定義されたＭＣＳモードを用いて、前記移動局装置に対するデータの送信制御を行うことを特徴とする移動体通信システム。
【請求項８】
基地局装置と上り制御チャネルを設定し、前記基地局装置から送信される下りパイロットチャネルと下り共通制御チャネルと下り共用制御チャネルと下り共用データチャネルを含む下りリンク信号を受信し、受信した前記下りリンク信号の受信品質を測定して前記受信品質に応じた下りリンク信号品質情報ＣＱＩを前記上り制御チャネルを用いて前記基地局装置へ送信する移動局装置であって、
前記基地局装置により送信される下りリンク信号に含まれる自局宛てデータの有無を判断する受信データ判断手段と、前記受信データ判断手段により、前記基地局装置からの自局宛てデータが無いと判断された場合、下りリンク信号品質情報ＣＱＩの送信を停止して、予め定義された間欠受信期間に受信部を動作させ、予め定義された間欠受信期間以外に受信部の動作を停止させる間欠受信モードに入る受信制御手段と、を含むことを特徴とする移動局装置。
【請求項９】
請求項８に記載の移動局装置において、前記受信制御手段は、前記予め定義された間欠受信期間に、受信部を動作させ、前記受信データ判断手段により、前記自局宛てのデータがあると判断された場合、前記予め定義された間欠受信期間以外にも、受信部の動作を動作させ、前記自局宛てのデータを受信し、前記下りリンク信号品質情報ＣＱＩの上り送信を再開することを特徴とする移動局装置。
【請求項１０】
下りパイロットチャネルと下り共通制御チャネルと下り共用制御チャネルと下り共用データチャネルを含む下りリンク信号を移動局装置へ送信し、前記下りリンク信号の受信品質に応じた下りリンク信号品質情報ＣＱＩを前記移動局装置から受信し、前記下りリンク信号品質情報ＣＱＩを用いて前記移動局装置に対するデータの送信制御を行う基地局装置であって、
前記移動局装置により送られてきた前記下りリンク信号品質情報ＣＱＩの有無を判断する下りリンク信号品質情報ＣＱＩ判断手段と、前記下りリンク信号品質情報ＣＱＩ判断手段により、前記下りリンク信号品質情報ＣＱＩが無く、且つＲＬＣパケットデータバッファに前記移動局装置宛てのデータがある場合、前記移動局装置へ前記下りリンク信号を間欠受信可能期間に送信する下りリンク信号制御手段と、を含むことを特徴とする基地局装置。
【請求項１１】
請求項１０に記載の基地局装置において、前記下りリンク信号制御手段は、前記予め定義された間欠受信期間に、前記移動局装置宛てのデータ制御情報および／または前記移動局装置宛てのデータを送信することを特徴とする基地局装置。
【請求項１２】
請求項１０に記載の基地局装置において、前記下りリンク信号制御手段は、前記予め定義された間欠受信期間に、前記移動局装置宛てのデータの送信が、前記移動局装置からのフィードバックされた下りリンク信号品質情報ＣＱＩがあると判定される時点までの間に、ＡＭＣ方式に定義された低位ＭＣＳモードを使用することを特徴とする基地局装置。
【請求項１３】
請求項１０に記載の基地局装置において、前記下りリンク信号制御手段は、前記予め定義された間欠受信期間に、前記移動局装置からのフィードバックされた下りリンク信号品質情報ＣＱＩがあると判定される時点までの間に、前記移動局装置宛てのデータの有無情報だけを送信することを特徴とする基地局装置。
【請求項１４】
請求項１０に記載の基地局装置において、前記下りリンク信号制御手段は、前記予め定義された間欠受信期間に、前記移動局装置からのフィードバックされた下りリンク信号品質情報ＣＱＩがあると判定される時点までの間に、前記移動局装置宛てのデータを送信しないことを特徴とする基地局装置。
【請求項１５】
請求項１０に記載の基地局装置において、前記下りリンク信号制御手段は、前記下りリンク信号品質情報ＣＱＩに従って、ＡＭＣ方式に定義されたＭＣＳモードを用いて、前記移動局装置に対するデータの送信制御を行うことを特徴とする基地局装置。
【請求項１６】
基地局装置が、下りパイロットチャネルと下り共通制御チャネルと下り共用制御チャネルと下り共用データチャネルを含む下りリンク信号を送信し、移動局装置が、前記下りリンク信号の受信品質を測定して、該受信品質に応じた下りリンク信号品質情報ＣＱＩを上り制御チャネルを用いて前記基地局装置へ送信し、前記基地局装置が、受信した前記下りリンク信号品質情報ＣＱＩを用いて前記移動局装置に対するデータの送信制御をなすようにした移動体通信方法であって、
前記移動局装置では、前記基地局装置により送信される下りリンク信号に含まれる自局宛てデータの有無を判断して、前記基地局装置からの自局宛てデータが無いと判断された場合、下りリンク信号品質情報ＣＱＩの送信を停止して、予め定義された間欠受信期間に受信部を動作させ、予め定義された間欠受信期間以外に受信部の動作を停止させる間欠受信モードに入り、
前記基地局装置では、前記移動局装置により送られてきた前記下りリンク信号品質情報ＣＱＩの有無を判断し、前記下りリンク信号品質情報ＣＱＩが無く、且つＲＬＣパケットデータバッファに前記移動局装置宛てのデータがある場合、前記移動局装置へ前記下りリンク信号を間欠受信可能期間に送信することを特徴とする移動体通信方法。
【請求項１７】
コンピュータを、請求項１乃至７のいずれかに記載の移動体通信システムの各手段、または、請求項８または９に記載の移動局装置の各手段、または、請求項１０乃至１５のいずれかに記載の基地局装置の各手段、として機能させるプログラム。
【請求項１８】
コンピュータが読み取り可能な記録媒体であって、請求項１７に記載のプログラムを記録したことを特徴とする記録媒体。
【発明の詳細な説明】
【技術分野】
【０００１】
本発明は、移動体通信システム、移動局装置、基地局装置および移動体通信方法、並びにプログラムおよび記録媒体に関し、特に、移動体通信システムにおけるＨＳＤＰＡ（Ｈｉｇｈ−Ｓｐｅｅｄ  Ｄｏｗｎ  ｌｉｎｋ  Ｐａｃｋｅｔ  Ａｃｃｅｓｓ）サービスのように適応変復調・誤り訂正方式（ＡＭＣＳ：Ａｄａｐｔｉｖｅ  Ｍｏｄｕｌａｔｉｏｎ  ａｎｄ  Ｃｏｄｉｎｇ  Ｓｃｈｅｍｅ）を有するパケットデータ通信方式に関する。
【背景技術】
【０００２】
従来、ＨＳＤＰＡサービスでは、非特許文献１等に提案されているチャネル符号化等の適応無線リンク制御（リンクアダプテーション）に基づく適応変復調・誤り訂正方式（ＡＭＣＳ：以降ＡＭＣ方式とする）といった技術が適用されている。
ＡＭＣ方式とは、高速パケットデータ伝送を効率的に行うために、各ユーザの伝搬路状況に応じてデータ変調多値数、誤り訂正方式、誤り訂正の符号化率、データ変調多値数、時間・周波数軸の符号拡散率（ＳＦ：Ｓｐｒｅａｄｉｎｇ  Ｆａｃｔｏｒ）、マルチコード多重数など無線伝送パラメータを切り替える方式である。
【０００３】
例えば、データ変調については、伝搬路状況が良好になるに従って、ＱＰＳＫ（Ｑｕａｄｒａｔｕｒｅ  Ｐｈａｓｅ  Ｓｈｉｆｔ  Ｋｅｙｉｎｇ）変調から、８ＰＳＫ変調、１６ＱＡＭ（Ｑｕａｄｒａｔｕｒｅ  Ａｍｐｌｉｔｕｄｅ  Ｍｏｄｕｌａｔｉｏｎ）変調など、より高い効率の多値変調に切り替えることで、通信システムの最大スループットを増大させることができる。ここでは、ＡＭＣ方式に使用されるさまざまな無線伝送パラメータセットをＭＣＳ（Ｍｏｄｕｌａｔｉｏｎ  ａｎｄ  Ｃｏｄｉｎｇ  Ｓｃｈｅｍｅ）モードと称する。ＭＣＳモードの一例を図１２に示す。
【０００４】
ＨＳＤＰＡ（非特許文献２参照）においては、図１３に示したように、下りパイロットチャネル（Ｄｏｗｎｌｉｎｋ  Ｐｉｌｏｔ  Ｃｈａｎｎｅｌ）３、下り共通制御チャネル（Ｄｏｗｎｌｉｎｋ  Ｃｏｍｍｏｎ  Ｃｏｎｔｒｏｌ  Ｃｈａｎｎｅｌ）４、下り共用制御チャネル（Ｄｏｗｎｌｉｎｋ  Ｓｈａｒｅｄ  Ｃｏｎｔｒｏｌ  Ｃｈａｎｎｅｌ）５、下り共用データチャネル（Ｄｏｗｎｌｉｎｋ  Ｓｈａｒｅｄ  Ｄａｔａ  Ｃｈａｎｎｅｌ）６、上り制御チャネル（Ｕｐｌｉｎｋ  Ｃｏｎｔｒｏｌ  Ｃｈａｎｎｅｌ）７、上りデータチャネル（Ｕｐｌｉｎｋ  Ｄａｔａ  Ｃｈａｎｎｅｌ）８がある。
【０００５】
下りパイロットチャネル３は、各セル９に１つ存在し、共通パイロットチャネル（ＣＰＩＣＨ：Ｃｏｍｍｏｎ  Ｐｉｌｏｔ  ＣＨａｎｎｅｌ）と個別パイロットチャネル（ＤＰＩＣＨ：Ｄｅｄｉｃａｔｅｄ  Ｐｉｌｏｔ  Ｃｈａｎｎｅｌ）が含まれている。
下り共通制御チャネル４は、各セルに１つ存在し、基地局装置１の報知情報、呼び出し情報（ページング指標チャネル、ページングチャネル）、同期情報（同期チャネル）などが含まれている。
下り共用制御チャネル５は、各セルに１つ存在し、各移動局装置２（各ユーザ）への個別制御情報などが時間分割多重（ＴＤＭ：Ｔｉｍｅ  Ｄｉｖｉｓｉｏｎ  Ｍｕｌｔｉｐｌｅｘ）で含まれている。
下り共用データチャネル６は、各セルに１つ存在し、各移動局装置への個別送信データなどが時間分割多重されている。
【０００６】
上り制御チャネル７は、上り個別制御チャネル（Ｕｐｌｉｎｋ  Ｄｅｄｉｃａｔｅｄ  Ｃｏｎｔｒｏｌ  Ｃｈａｎｎｅｌ）が含まれ、移動局装置からの制御情報、測定・報告情報などが送信されている。
上りデータチャネル８は、上り個別データチャネル（Ｕｐｌｉｎｋ  Ｄｅｄｉｃａｔｅｄ  Ｄａｔａ  Ｃｈａｎｎｅｌ）が含まれ、移動局装置からの送信データが送られている。
【０００７】
図１４を用いて、ＨＳＤＰＡにおける基地局装置と移動局装置間の信号の流れを説明する。図１４に示すように、移動局装置と基地局装置との間に、無線リンクが確立された場合、移動局装置は下り共用制御チャネルの一つである下り共用制御チャネルＨＳ−ＳＣＣＨ（Ｈｉｇｈ  Ｓｐｅｅｄ  Ｓｈａｒｅｄ  Ｃｏｎｔｒｏｌ  ＣＨａｎｎｅｌ）を常に受信し、下り共用制御チャネルＨＳ−ＳＣＣＨのサブフレーム制御情報のＭＣＳフィールドに含まれる移動局装置ＩＤ（ＵＥ  ＩＤ：Ｕｓｅｒ  Ｅｑｕｉｐｍｅｎｔ  ＩＤｅｎｔｉｆｉｅｒ）の情報を検知し、自局の移動局装置ＩＤと一致しているかどうかを判定する。
【０００８】
下り共用制御チャネルＨＳ−ＳＣＣＨで自局の移動局装置ＩＤを検知した場合、移動局装置はその下り共用制御チャネルＨＳ−ＳＣＣＨで送信されているサブフレーム制御情報のＭＣＳ情報フィールドに含まれるＭＣＳモード情報を使って、その下り共用制御チャネルＨＳ−ＳＣＣＨのサブフレーム先頭から所定の時間遅れ（Ｄｅｌａｙ１）で送信される下り共用データチャネルの一つである下り共用データチャネルＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  ＣＨａｎｎｅｌ）に含まれるＨＳ−ＤＳＣＨ（Ｈｉｇｈ  Ｓｐｅｅｄ  Ｄｏｗｎｌｉｎｋ  Ｓｈａｒｅｄ  ＣＨａｎｎｅｌ）のサブフレームを受信し、指定されたＭＣＳモード情報に従ってデータ復調を行う。
【０００９】
また、移動局装置は、送るべきユーザのデータが発生した場合、上り個別データチャネルであるＤＰＣＨ（Ｄｅｄｉｃａｔｅｄ  Ｐｈｙｓｉｃａｌ  ＣＨａｎｎｅｌ）を通じて送信する。
【００１０】
移動局装置は、下りリンク伝搬路状況を表す基地局装置の下り共通制御チャネルに含まれる共通パイロットチャネルＣＰＩＣＨの受信品質を測定し（下りリンクの無線伝搬路特性推定、またはチャネル推定）、下りリンクの無線伝搬路特性推定の結果から決定した下りリンク信号品質情報ＣＱＩ（Ｃｈａｎｎｅｌ  Ｑｕａｌｉｔｙ  Ｉｎｄｉｃａｔｉｏｎ）が上り個別制御チャネルＨＳ−ＤＰＣＣＨ（Ｈｉｇｈ  Ｓｐｅｅｄ  Ｄｅｄｉｃａｔｅｄ  Ｐｈｙｓｉｃａｌ  Ｃｏｎｔｒｏｌ  ＣＨａｎｎｅｌ）のＨＳ−ＤＳＣＨ（Ｈｉｇｈ  Ｓｐｅｅｄ  Ｄｏｗｎｌｉｎｋ  Ｓｈａｒｅｄ  ＣＨａｎｎｅｌ）サブフレームを通じて基地局装置にフィードバックする。
基地局装置は、この下りリンク信号品質情報ＣＱＩに応じて、適切なＭＣＳモードを選択し、ＡＭＣ方式でデータを送信する。
【００１１】
また、ＨＳＤＰＡでは、ハイブリッド自動再送（ＨＡＲＱ：Ｈｙｂｒｉｄ  Ａｕｔｏｍａｔｉｃ  Ｒｅｐｅａｔ  ｒｅＱｕｅｓｔ）を採用しているため、移動局装置では、受信した通達確認情報であるＡＣＫ／ＮＡＣＫ（Ａｃｋｎｏｗｌｅｄｇｅｍｅｎｔ／Ｎｅｇａｔｉｖｅ  Ａｃｋｎｏｗｌｅｄｇｅｍｅｎｔｓ）がＨＳ−ＤＰＣＣＨのＨＳ−ＤＳＣＨサブフレームのＨＡＲＱ情報フィールドを通じて送信する。
【００１２】
上記のＨＳＤＰＡにおける移動局装置では、パケット通信中のデータの待受け中でも、自局宛てのデータかどうかを示す制御情報（下り共用制御チャネル）を受信する必要があるため、データ受信時間が短時間でも、受信部の間欠受信（ＤＲＸ）動作ができないので、受信部に常に電力が消費されてしまう。
また、ＡＭＣ方式を採用しているため、下りリンク信号品質情報ＣＱＩを常に基地局装置にフィードバックする必要があるため、送信部に常に電力が消費されてしまう。特に、ＨＳＤＰＡ等の高速データ伝送方式はウェブ（ＷＥＢ）閲覧等、間欠的にデータのダウンロードを繰り返すようなサービスに多く用いられているので、データの送受信時間が短くても移動局装置の電力消費が大きくなる。
【００１３】
この問題を解決するために、特許文献１に示したように、移動局装置におけるデータの受信が可能か否かの状態の更新を示す送受信状態更新情報を移動局装置に通知する手段を基地局装置に有し、送受信状態更新情報に基づいて、移動局装置でデータの送受信状態を制御する方法が提案されている。
【００１４】
また、特許文献２に示したように、基地局装置は、移動局装置と下り共用制御チャネルを設定して移動局装置にデータ送信通知を送信する手段が含まれ、移動局装置は上り制御チャネル設定中に、データ送信通知に応答して、基地局装置へ所定の間隔で下りリンク信号品質情報ＣＱＩの送信を開始する手段を含む制御方法が提案されている。
【００１５】
また、特許文献３に示したように、移動局装置または基地局装置によりデータ量に基づいて監視方法を決定し、監視情報を相手に通知することにより、移動局装置でデータの送受信状態を制御する方法が提案されている。
【００１６】
一方、ＨＳＤＰＡでは、下り共通制御チャネルに、ページング指標チャネルＰＩＣＨ（Ｐａｇｉｎｇ  Ｉｎｄｉｃａｔｏｒ  ＣＨａｎｎｅｌ）、下り第１の共通制御チャネルＰＣＣＰＣＨ（Ｐｒｉｍａｒｙ  Ｃｏｍｍｏｎ  Ｃｏｎｔｒｏｌ  Ｐｈｙｓｉｃａｌ  ＣＨａｎｎｅｌ）、下り第２の共通制御チャネルＳＣＣＰＣＨ（Ｓｅｃｏｎｄａｒｙ  Ｃｏｍｍｏｎ  Ｃｏｎｔｒｏｌ  Ｐｈｙｓｉｃａｌ  ＣＨａｎｎｅｌ）が含まれる。
【００１７】
ページング指標チャネルＰＩＣＨは、移動局装置のバッテリーセービングの向上のために、間欠受信比率を低減することを目的として設定されたチャネルである。ページング指標チャネルＰＩＣＨは、移動局装置に対して着信の有無を通知するための、短いページング指標ＰＩ（Ｐａｇｉｎｇ  Ｉｎｄｉｃａｔｏｒ）を送信しており、待ち受け中の移動局装置は間欠受信期間中にこのページング指標ＰＩのみを受信する。ページング指標ＰＩにて着信があることを知らせた場合のみ、ページング指標ＰＩに対応する下り第２の共通制御チャネルＳＣＣＰＣＨ上の無線フレーム内のページングチャネルＰＣＨ（Ｐａｇｉｎｇ  ＣＨａｎｎｅｌ）を移動局装置は受信する。ページング指標ＰＩは、移動局装置の集まりである複数の群に群分けされており、１つの群あたりの着信頻度を極めて低くできるため、待ち受け中の移動局装置は短いページング指標ＰＩのみ受信すればよく、長いページングチャネルＰＣＨを受信する頻度を極めて低くできる（非特許文献３参照）。
【００１８】
また、ＨＳＤＰＡでは、移動局装置は電源立上げ時、ソフトハンドオーバーモードに入る前、あるいは通信待ち受けにおける間欠受信モードにおいて、瞬時のフェージング変動を平均化した、長区間変動およびシャドウイング変動によるパスロスが最も小さなセル（ソフトハンドオーバーモードに入る前は、このパスロスが２番目に小さなセル）を検出する必要がある。これは下りリンクにおいて最も受信電力の大きな共通パイロットチャネルＣＰＩＣＨのスクランブルコードを有するセルを検出する処理になる。このプロセスは無線リンクを接続すべきセルを探すという意味でセルサーチと称する（非特許文献３参照）。
【００１９】
待ち受け中の間欠受信モード（アイドルモード）におけるセルサーチでは、下り第２の共通制御チャネルＳＣＣＰＣＨ上の無線フレーム内のページングチャネルＰＣＨを通じて、移動局装置は無線リングを接続していた、あるいは間欠受信モード時にページングチャネルＰＣＨを受信した接続中のセルと周辺のサーチすべきセル（２０個程度）のスクランブルコードの種類、および接続中のセルと、周辺セルとの共通パイロットチャネルＣＰＩＣＨのスクランブルコードタイミング差の情報を受信する。
従って、移動局装置はサーチすべき周辺セルのスクランブルコードの種類および移動局装置での共通パイロットチャネルＣＰＩＣＨの平均的な受信タイミングが既知となるので、短時間での周辺セルサーチが可能となる。待ち受け中の間欠受信モードにおいて、一般的にはページング指標チャネルＰＩＣＨ受信とセルサーチは同時に行う（非特許文献３参照）。
【特許文献１】
特開２００４−１４７０４９号公報
【特許文献２】
特開２００３−１９９１７３号公報
【特許文献３】
特開２００４−２８９２３４号公報
【非特許文献１】
Ｔ．Ｕｅ、Ｓ．Ｓａｍｐｅｉ、ａｎｄ  Ｎ．Ｍｏｒｉｎａｇａ、“Ｓｙｍｂｏｌ  Ｒａｔｅ  ａｎｄ  Ｍｏｄｕｌａｔｉｏｎ  Ｌｅｖｅｌ−Ｃｏｎｔｒｏｌｌｅｄ  Ａｄａｐｔｉｖｅ  Ｍｏｄｕｌａｔｉｏｎ／ＴＤＭＡ／ＴＤＤ  ｓｙｓｔｅｍ  ｆｏｒ  Ｈｉｇｈ−Ｂｉｔ−Ｒａｔｅ  Ｗｉｒｅｌｅｓｓ  Ｄａｔａ  Ｔｒａｎｓｍｉｓｓｉｏｎ”、ＩＥＥＥ  Ｔｒａｎｓａｃｔｉｏｎ．ＶＴ、ｐｐ．１１３４−１１４７、Ｖｏｌ．４７、ｎｏ．４、Ｎｏｖ．１９９８
【非特許文献２】
３ＧＰＰ  ＴＲ（Ｔｅｃｈｎｉｃａｌ  Ｒｅｐｏｒｔ）２５．８５８、および３ＧＰＰのＨＳＤＰＡ仕様関連資料      http://www.3gpp.org/ftp/Specs/html-info/25-series.htm
【非特許文献３】
立川  敬二、“Ｗ−ＣＤＭＡ移動通信方式”、ＩＳＢＮ４−６２１−０４８９４−５、Ｐ１１４
【発明の開示】
【発明が解決しようとする課題】
【００２０】
しかしながら、パケット通信中のデータの受信時間が短くても、消費電力が低減できるように移動局装置の送受信部の回路制御ができない、移動局装置の電力消費が大きいという問題に対して、特許文献１の技術では、データの受信が可能か否かの状態の更新を示す送受信状態更新情報を移動局装置に送信する。
また、特許文献２の技術では、基地局装置データ送信通知により下りリンク信号品質情報ＣＱＩの送信可否を制御する。
また、特許文献３の技術では、移動局装置または基地局装置によりデータ量に基づいて監視方法を決定し、監視情報を相手に通知する。
【００２１】
上記三つの方法ともに基地局装置または移動局装置が相手に制御信号を送信し、基地局装置および移動局装置とも制御信号処理が必要である。
また、特許文献２の技術では、基地局装置データ送信通知を常時受信するため、電力低減の効果が低い。
【００２２】
本発明は、上述の実情を考慮してなされたものであって、ＡＭＣ方式を用いた無線通信システムであって、移動局装置の送受信制御に当って、基地局装置と移動局装置間の制御信号送受信を必要としない移動体通信システム、該移動体通信システムの移動局装置および基地局装置、移動体通信方法、並びにプログラムおよび記録媒体を提供することを目的とする。
【課題を解決するための手段】
【００２３】
上記課題を解決するために、本発明は次のような構成をとる。
本発明は、基地局装置と移動局装置を含み、前記基地局装置は、下りパイロットチャネルと下り共通制御チャネルと下り共用制御チャネルと下り共用データチャネルを含む下りリンク信号を送信し、前記移動局装置は、前記基地局装置と上り制御チャネルを設定し、前記下りリンク信号の受信品質を測定して前記受信品質に応じた下りリンク信号品質情報ＣＱＩを前記上り制御チャネルを用いて前記基地局装置へ送信し、前記基地局装置は、前記下りリンク信号品質情報ＣＱＩを用いて移動局装置に対するデータの送信制御をなすようにした移動体通信システムであって、前記移動局装置は、前記基地局装置により送信される下りリンク信号に含まれる自局宛てデータの有無を判断する受信データ判断手段と、前記受信データ判断手段により、前記基地局装置からの自局宛てデータが無いと判断された場合、下りリンク信号品質情報ＣＱＩの送信を停止して、予め定義された間欠受信期間に受信部を動作させ、該予め定義された間欠受信期間以外に受信部の動作を停止させる間欠受信モードに入る受信制御手段と、を含み、前記基地局装置は、前記移動局装置により送られてきた前記下りリンク信号品質情報ＣＱＩの有無を判断する下りリンク信号品質情報ＣＱＩ判断手段と、前記下りリンク信号品質情報ＣＱＩ判断手段により、前記下りリンク信号品質情報ＣＱＩが無く、且つＲＬＣパケットデータバッファに前記移動局装置宛てのデータがある場合、前記移動局装置へ前記下りリンク信号を間欠受信可能期間に送信する下りリンク信号制御手段と、を含む構成とした。
［００２４］
［００２５］
この移動局装置の受信制御手段は、前記予め定義された移動局装置の予め定義された間欠受信期間に，例えば，下り共通制御チャネルおよび／または下り共用制御チャネルに定義した自局宛てページング情報受信期間および／またはセルサーチ期間に受信部を動作させ、前記受信データ判断手段により、前記自局宛てのデータがあると判断された場合、前記予め定義された間欠受信期間以外にも受信部を動作させ、前記自局宛てのデータを受信し、前記下りリンク信号品質情報ＣＱＩの上り送信を再開するようにした。
［００２６］
次に、前記基地局装置では、さらに、次のような構成を持つ。
下りリンク信号品質情報ＣＱＩ判断手段は、前記移動局装置により送られてきた前記下りリンク信号品質情報ＣＱＩの有無を判断する。
また、下りリンク信号制御手段は、前記下りリンク信号品質情報ＣＱＩ判断手段により、前記下りリンク信号品質情報ＣＱＩが無く、且つＲＬＣ（Ｒａｄｉｏ  Ｌｉｎｋ  Ｃｏｎｔｒｏｌ）パケットデータバッファに前記移動局装置宛てのデータがある場合、前記移動局装置の予め定義された間欠受信期間に，例えば，下り共通制御チャネルおよび／または下り共用制御チャネルに定義した前記移動局装置のページング情報受信期間および／またはセルサーチ期間に、前記移動局装置へ前記下りリンク信号を間欠受信可能期間に送信する。
［００２７］
あるいは、下りリンク信号制御手段は、前記予め定義された間欠受信期間に、前記移動局装置宛てのデータの送信が、前記移動局装置からのフィードバックされた下りリンク信号品質情報ＣＱＩがあると判定される時点までの間に、ＡＭＣ方式に定義された低位ＭＣＳモードを使用する。
［００２８］
あるいは、下りリンク信号制御手段は、前記予め定義された間欠受信期間に、前記移動局装置からのフィードバックされた下りリンク信号品質情報ＣＱＩがあると判定される時点までの間に、前記移動局装置宛てのデータの有無情報だけを送信する、あるいは、前記移動局装置宛てのデータを送信しない。
［００２９］
あるいは、下りリンク信号制御手段は、前記下りリンク信号品質情報ＣＱＩに従って、ＡＭＣ方式に定義されたＭＣＳモードを用いて、前記移動局装置に対するデータの送信制御を行う。
［００３０］
また、本発明は、コンピュータで、上述した構成の移動体通信システム、移動局装置あるいは基地局装置の機能を実現させるためのプログラム、またはそのプログラムを記録したコンピュータ読み取り可能な記録媒体によっても上記課題を解決することができる。
発明の効果
［００３１］
本発明によれば、ＡＭＣ方式を用いた無線通信システムであって、移動局装置は、送受信データ有無を判断する移動局装置の送受信データ判断手段と、送受信データ判断手段により、移動局装置の無線送受信部を制御する移動局装置の送受信制御手段と、基地局装置は、移動局装置により送られてきた前記品質情報ＣＱＩの有無を判断する品質情報ＣＱＩ判断手段と、品質情報ＣＱＩの有無により、移動局装置へ前記下りリンク信号を制御する下りリンク信号制御手段を提案したので、移動局装置の送受信制御に当って、基地局装置と移動局装置間の制御信号送受信を必要としない。
【図面の簡単な説明】
［００３２］
［図１］本発明の実施形態１に係る移動局装置の送受信制御手段の一例を説明するための図である。
［図２］本発明の実施形態１に係る基地局装置の下りリンク信号制御手段の一例を説明するための図である。
［図３］本発明の実施形態１に係る移動局装置の構成図である。
［図４］本発明の実施形態１に係る基地局装置の構成図である。
［図５］本発明の実施形態１に係る移動局装置および基地局装置の処理フローチャートである。
［図６］ＯＦＣＤＭ方式の下りリンク信号構成の一例を示す図である。
［図７］本発明の実施形態２に係る移動局装置の構成図である。
［図８］本発明の実施形態２に係る基地局装置の構成図である。
［図９］ＯＦＤＭＡ方式の下りリンク信号構成の一例を示す図である。
【図１０】ＯＦＤＭＡ方式の下りリンク信号構成の一例を示す図である。
【図１１】ＯＦＤＭＡ方式の下りリンク信号構成の一例を示す図である。
【図１２】ＭＣＳモードの一例を示す図である。
【図１３】ＨＳＤＰＡにおける通信を説明するための図である。
【図１４】ＨＳＤＰＡにおけるＡＭＣ方式の概略（従来方式）を示す図である。
【符号の説明】
【００３３】
１００…移動局装置、１１０…アンテナ、１２０…ＤＵＰ（Ｄｕｐｌｅｘｅｒ）、１３０…受信部、１３１…無線受信部、１３２…直交復調部、１３３…逆拡散部、１３４…復号化部、１３５…チャネル推定部、１３６…ＯＦＤＭ復調部、１４０…送信部、１４１…符号化部、１４２…拡散部、１４３…直交変調部、１４４…無線送信部、１４５…ＯＦＤＭ復調部、１５０…送受信制御部、１６０…送受信データ判断部、１７０…送信データバッファ、２００…基地局装置、２０１…ＲＬＣパケットデータバッファ、２０２…符号化部、２０３…拡散部、２０４…直交変調部、２０５…無線送信部、２０６…アンテナ、２０７…ＤＵＰ、２０８…無線受信部、２０９…直交復調部、２１０…逆拡散部、２１１…復号化部、２１２…下りリンク信号品質情報ＣＱＩ判定部、２１３…下りリンク信号制御部、２１４…ＯＦＤＭ変調部、２１５…ＯＦＤＭ復調部、１…基地局装置、２…移動局装置、３…下りパイロットチャネル、４…下り共通制御チャネル、５…下り共用制御チャネル、６…下り共用データチャネル、７…上り制御チャネル、８…上りデータチャネル、９…セル、１０…基地局制御装置。
【発明を実施するための最良の形態】
【００３４】
以下、図面を参照して本発明の好適な実施形態について説明する。
【００３５】
＜実施形態１＞
本発明の実施形態１の基本概念として、パケット通信中において、移動局装置は、自局宛てのデータの有無を判断し、自局宛てのデータが無い場合、下りリンク信号品質情報ＣＱＩのフィードバックを停止し、移動局装置の予め定義された間欠受信期間に、例えば、下り共通制御チャネルにあるページング情報（例えば、ページング指標チャネルＰＩＣＨに定義した移動局装置のページング指標ＰＩ）受信期間および／またはセルサーチ（例えば、共通パイロットチャネルが定義した移動局装置のセルサーチ）期間に受信部を動作させる間欠受信を行い、受信部動作期間中に、自局宛てのデータの有無を判断し、自局宛てのデータが有る場合、自局宛てのデータの受信を再開することである。
【００３６】
また、基地局装置は、下りリンク信号品質情報ＣＱＩフィードバックの有無を判断し、ＣＱＩ値が無く、且つ当該移動局装置に送信データが有る場合、移動局装置の予め定義された間欠受信期間に、移動局装置宛てのデータ制御情報および／または移動局装置宛てのデータを送信し、移動局装置の予め定義された間欠受信期間に、移動局装置宛てのデータ制御情報を送信する時点から、下りリンク信号品質情報ＣＱＩがフィードバックされる時点までの間に、移動局装置宛ての有効なパケットデータを送信しない、またはＡＭＣ方式に定義された低位ＭＣＳモードを使用し、移動局装置宛てのデータを送信することである。
【００３７】
図１は、本発明の実施形態１に係る移動局装置の送受信制御手段の一例を説明するための図であり、図２は、本発明の実施形態１に係る基地局装置の下りリンク信号制御手段の一例を説明するための図である。移動局装置の送受信制御手段は、基地局装置が有する本発明に係る下りリンク信号制御手段によって決定されている。
【００３８】
図１と図２を説明する前に、一例として、ＨＳＤＰＡの符号分割多重接続（ＣＤＭＡ：Ｃｏｄｅ  Ｄｉｖｉｓｉｏｎ  Ｍｕｌｔｉｐｌｅ  Ａｃｃｅｓｓ）方式を用いる、本発明の移動局装置および基地局装置の構成について説明する。
【００３９】
図３は本発明の実施形態１に係る移動局装置１００の構成図であり、図４は、本発明の実施形態１に係る基地局装置２００の構成図である。
移動局装置１００では、アンテナ１１０から基地局装置２００の下りリンク信号（例えば、図１４の下り共用制御チャネルＨＳ−ＳＣＣＨおよび下り共用データチャネルのＨＳ−ＰＤＳＣＨ、共通パイロットチャネルのＣＰＩＣＨなど）を受信し、受信した下りリンク信号をＤＵＰ（Ｄｕｐｌｅｘｅｒ）１２０により上り信号と分離し、受信部１３０へ出力する。
【００４０】
受信部１３０は、ＬＮＡ（Ｌｏｗ  Ｎｏｉｓｅ  Ａｍｐｌｉｆｉｅｒ）、ミキサー、周波数発生器、ＩＦアンプ、フィルタなどにより構成された無線受信部１３１と、直交復調器、ベースバンドフィルタ、ＡＤコンバーターなどにより構成された直交復調部１３２と、ローカル拡散符号発生器、乗算器、ＤＬＬ回路、ＲＡＫＥ回路、信号合成回路などにより構成された逆拡散部１３３と、畳み符号・ターボ符号の複号回路、ローカルクロック発生器などにより構成された復号化部１３４と、振幅、位相、電力の検出回路などにより構成されたチャネル推定部１３５などにより構成されている。
【００４１】
受信部１３０では、受信した下りリンク信号を無線受信部１３１により周波数変換、フィルタリング、増幅処理し、直交復調部１３２に出力する。直交復調部１３２は、ＩＱ信号分離、フィルタリング、ＡＤ変換によりＩＱベースバンド信号を生成し、逆拡散部１３３に出力する。逆拡散部１３３は、ローカルの拡散符号を用いて相関処理により逆拡散信号処理を行い、復号化部１３４に出力する。復号化部１３４は、畳み符号・ターボ符号の復号処理を行い、受信データを生成して出力する。
【００４２】
受信部１３０のチャネル推定部１３５は、基地局装置２００により送信されたパイロット信号など既知の参照信号（例えば、共通パイロットチャネルＣＰＩＣＨ）により下りリンクの無線伝搬路特性の推定を行い、ＳＮＲ（Ｓｉｇｎａｌ  ｔｏ  Ｎｏｉｓｅ  Ｒａｔｉｏ）、ＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）、Ｅc ／Ｉo（チップ当りのエネルギ／単位周波数当りの干渉波電力）などの下りリンク信号品質情報ＣＱＩ値を算出し、算出されたＣＱＩ値は、送信部１４０の符号化部１４１に出力し、上り制御チャネル（例えば、図１４の上り制御チャネルＨＳ−ＤＰＣＣＨのＨＳ−ＤＳＣＨサブフレーム）に挿入し、基地局装置２００にフィードバックされる。
【００４３】
また、チャネル推定部１３５は、下りリンクの無線伝搬路特性の推定結果を、逆拡散部１３３および復号化部１３４に出力する。ＣＱＩ値のフィードバックは、フレーム、スロット、あるいはシステムに定めた時間間隔（ＣＱＩ  ｆｅｅｄｂａｃｋ  ｃｙｃｌｅ）などで行う。ここでは、下りリンクの無線伝搬路特性の推定によるＣＱＩ値の算出や、上り制御チャネル送信フィールドへの挿入処理などにより、移動局装置１００のアンテナ１１０で送信するまで、一定の遅延時間（例えば、図１４の遅延時間Ｄｅｌａｙ２）が生じる。
【００４４】
移動局装置１００の送受信データ判断部１６０には、復号化部１３４からの受信データおよび送信データバッファ１７０の情報が入力される。
送受信データ判断部１６０は、自局宛てデータの有無、および送信データの有無を判断する送受信データ判断手段が含まれている。具体的には、例えば復号化部１３４から自局宛てのデータ出力信号の有無、および送信データバッファ１７０が空かどうかを判断し、送受信制御部１５０に判断結果を出力する。
【００４５】
受信データ判断手段について、移動局装置１００の受信部１３０の制御の時間間隔（制御頻度）、自局宛てのパケットデータのサービス形式（例えば、小量・不連続なパケットデータを受信するウェブ（ＷＥＢ）閲覧か、大量・連続なパケットデータを受信するＶｏＩＰか）、データ伝送頻度などを考慮し、復号化部１３４から自局宛てのデータ出力が無くなった時点から予め定義された遅延時間を設け、遅延時間まで自局宛てのデータが無い場合、自局宛てデータが無いと判断し、送受信制御部１５０に判断結果を出力することもできる。また、復号化部１３４から自局宛てデータ出力に対して統計的な手法を用いて、時間、回数など閾値を設けて、受信データ有無を判断することもできる。
【００４６】
送信データ判定手段について、同様に、移動局装置１００の送信部１４０の制御の時間間隔（制御頻度）、自局宛てのパケットデータのサービス形式、伝送頻度などを考慮し、送信データバッファ１７０におけるデータ量が予め定義された閾値を超えた場合、送信データが有ると判断し、送受信制御部１５０に判断結果を出力することもできる。また、送信データバッファ１７０における送信データ量に対して統計的な手法を用いて、時間、回数、データ量など閾値を設けて、送信データ有無を判断することもできる。送受信データ判断部１６０の判断結果は、送受信制御部１５０に出力される。
【００４７】
送受信制御部１５０には、送受信制御手段が含まれている。具体的には、送受信データ判断部１６０の判断結果に基づく、送信部１４０および受信部１３０の動作を制御する。送受信制御部１５０の制御信号は、送信部１４０および受信部１３０に出力される。
【００４８】
送受信制御手段として、受信データ判断手段により、自局宛てデータが無いと判断された場合、基地局装置２００は下り共用データチャネルＨＳ−ＰＤＳＣＨに自局宛てデータが送信されていないし、また、ＡＭＣ方式に基づくＣＱＩ値が使用されていないため、移動局装置１００はＣＱＩ値のフィードバックも必要ない。
【００４９】
従って、送受信制御部１５０から送信部１４０に下りリンク信号品質情報ＣＱＩの上り送信を停止する間欠送信（ＤＴＸ）制御信号を出力する。送信部１４０は、図１４の上り制御チャネルＨＳ−ＤＰＣＣＨのＨＳ−ＤＳＣＨサブフレームＭＣＳフィールドの送信電力をゼロにする。同様に、下り共用データチャネルＨＳ−ＰＤＳＣＨに当該移動局装置１００宛てパケットデータが送信されていないため、移動局装置１００の消費電力を低減するように受信部１３０の動作を停止する間欠受信（ＤＲＸ）制御信号を出力する。
【００５０】
そのあと、当該移動局装置の予め定義された間欠受信期間、すなわち受信動作期間（受信部電源オン期間）に、受信部１３０を動作させ、当該移動局装置の予め定義された間欠受信期間以外の期間、すなわち受信しない期間（受信部電源オフ期間）に、受信部１３０の動作を再び停止させる制御信号を出力する。
【００５１】
すなわち、受信部１３０は、当該移動局装置の予め定義された間欠受信期間に受信部１３０が動作し、その以外の期間に受信部１３０の動作が停止する間欠受信動作状態になる。
【００５２】
送受信制御手段として、送信データ判断手段により、基地局装置２００からの自局宛てデータが無い且つ送信データバッファ１７０における送信データが無い場合、移動局装置１００の消費電力を低減するように送信部１４０の動作を停止する制御信号を出力する。
【００５３】
送信部１４０は、パワーアンプＰＡ（Ｐｏｗｅｒ  Ａｍｐｌｉｆｉｅｒ）、ミキサー、周波数発生器、ＩＦアンプ、フィルタなどにより構成された無線送信部１４４と、直交変調器、ベースバンドフィルタ、ＤＡコンバーターなどにより構成された直交変調部１４３と、ローカル拡散符号発生器、乗算器などにより構成された拡散部１４２と、畳み符号・ターボ符号生成器、ローカルクロック発生器などにより構成された符号化部１４１などにより構成されている。
【００５４】
ここでの送信部１４０および受信部１３０の動作を停止するのは、送受信部の消費電力を低減するために、送受信部の全部または一部の電源供給を遮断すること、または低消費電力モード、スリープモード、スタンバイモード、アイドルモード、間欠送受信モードなどを設定することを指す。
【００５５】
次に、基地局装置２００では、アンテナ２０６から移動局装置の上りリンク信号（例えば、図３の上り個別制御チャネルＨＳ−ＤＰＣＣＨおよび上り個別データチャネルのＰＤＣＨなど）を受信し、上りリンク信号をＤＵＰ（Ｄｕｐｌｅｘｅｒ）２０７により下りリンク信号と分離し、無線受信部２０８により周波数変換、フィルタリング、増幅処理し、直交復調部２０９に出力する。
直交復調部２０９は、ＩＱ信号分離、フィルタリング、ＡＤ変換によりＩＱベースバンド信号を生成し、複数の逆拡散部２１０（移動局装置・ユーザ毎に）に出力する。
逆拡散部２１０は、ローカルの拡散符号を用いて相関処理により、逆拡散信号処理を行い、復号化部２１１に出力する。
復号化部２１１は、畳み符号・ターボ符号の復号処理を行い、受信データを生成して出力する。
【００５６】
基地局装置２００の下りリンク信号品質情報ＣＱＩ判定部２１２には、復号化部２１１からの受信データが入力される。基地局装置２００の下りリンク信号品質情報ＣＱＩ判定部２１２は、下りリンク信号品質情報ＣＱＩ判断手段が含まれている。具体的には、受信データに含まれる上り制御チャネルＨＳ−ＤＰＣＣＨのサブフレームから、無線リンクが確立されている複数の移動局装置１００からフィードバックされたＣＱＩ値の有無を判断し、有効なＣＱＩ値がある場合ＣＱＩ値を抽出し、これらのＣＱＩ情報を下りリンク信号制御部２１３に出力する。
【００５７】
基地局装置２００の下りリンク信号制御部２１３には、下りリンク信号品質情報ＣＱＩ判定部２１２からのＣＱＩ値有無の判定結果、または有効なＣＱＩ値が入力される。また、ＲＬＣ（Ｒａｄｉｏ  Ｌｉｎｋ  Ｃｏｎｔｒｏｌ）パケットデータバッファ２０１から無線リンクが確立されている移動局装置１００の送信データ量情報が入力される。
【００５８】
下りリンク信号制御部２１３は、下りリンク信号制御手段が含まれている。具体的には、ＲＬＣパケットデータバッファ２０１からの送信データの有無、または送信データ量が予め設定された閾値を越えているかどうかなどの送信データ量情報と、下りリンク信号品質情報ＣＱＩ判定部２１２からの複数の移動局装置１００のＣＱＩ値に基づく、各移動局装置１００への送信データのスケジューリングを行い、ＭＣＳモードを選択し、ＲＬＣパケットデータバッファ２０１に送信データのスケジューリング情報、符号化部２０２に符号化率情報の制御信号、拡散部２０３にベースバンド信号の変調方式（Ｍｏｄｕｌａｔｉｏｎ  Ｏｒｄｅｒ）情報を出力する。
【００５９】
下りリンク信号制御手段として、ＲＬＣパケットデータバッファ２０１に当該移動局装置１００への送信データが無い場合、ＲＬＣパケットデータバッファ２０１に他の移動局装置１００のデータのスケジューリング情報、符号化部２０２および拡散部２０３にＭＣＳモード選択信号を出力する。
【００６０】
また、ＲＬＣパケットデータバッファ２０１に当該移動局装置１００への送信データが有り、送信データの再開が要求され、且つ当該移動局装置１００からのＣＱＩ値が無い場合、当該移動局装置の予め定義された間欠受信期間に、下り共用制御チャネルＨＳ−ＳＣＣＨのサブフレーム制御情報のＭＣＳフィールドに当該移動局装置ＩＤ情報、ＭＣＳモード情報を送信する制御信号を出力する。
【００６１】
このＭＣＳモード情報としては、送信データの再開時にＣＱＩ値が無いため、当該移動局装置１００からフィードバックされたＣＱＩがあると判定される時点までの間に、ＡＭＣ方式に定義された低位ＭＣＳモードを使用する制御信号を出力する。例えば、図１２に示したＭｏｄｅ５とする。
【００６２】
または、下り共用制御チャネルＨＳ−ＳＣＣＨのサブフレーム制御情報のＭＣＳフィールドに当該移動局装置ＩＤ情報を送信し、例えば，ＭＣＳモードがＨＳＤＰＡ仕様で定義した「ＣＱＩ  ｖａｌｕｅ  ＝  ０（Ｏｕｔ  ｏｆ  ｒａｎｇｅ）」，あるいは，予備のＣＱＩ値を送信し、データが送信しない。ＭＣＳモード情報の送信は、当該移動局装置１００からのフィードバックＣＱＩ値が有ると判断された時点から再開する。
【００６３】
図１を用いて移動局装置１００の送受信制御手段について説明する。図１では、基地局装置から当該移動局装置にパケットデータ送信の最後データの様子を示している。
移動局装置１００は送受信制御手段により、自局宛てのデータが無いと判断された場合、予め設けられた遅延時間（Ｄｅｌａｙ３）のあとに、下りリンク信号品質情報ＣＱＩの上り送信を停止し、移動局の送受信部電源はオンからオフに切替える。その後、移動局装置は、パケット通信中（アクティブモード）において、移動局装置の予め定義された間欠受信期間に、受信部１３０を動作させ、移動局装置の予め定義された間欠受信期間以外に、受信部１３０の動作を再び停止させる間欠受信モードに入る。
【００６４】
図２を用いて基地局装置２００の下りリンク信号制御手段について説明する。図２では、基地局装置から当該移動局装置にパケットデータ送信再開の初めデータの様子を示している。
基地局装置２００は下りリンク信号制御手段により、下りリンク信号品質情報ＣＱＩが無く、且つＲＬＣパケットデータバッファに移動局装置１００宛てのデータがある場合、移動局装置１００の予め定義された間欠受信期間に、当該移動局装置１００宛てのＭＣＳフィールドに含まれるデータ制御情報および／またはデータを送信する。送信データの再開時にＡＭＣ方式に定義された低位ＭＣＳモードを使用する。または、下り共用制御チャネルＨＳ−ＳＣＣＨのサブフレーム制御情報のＭＣＳフィールドに当該移動局装置ＩＤ情報だけを送信し、ＭＣＳモード情報の送信は、当該移動局装置１００からのフィードバックＣＱＩ値があると判断された時点から再開する。
【００６５】
図５は、本発明の実施形態１に係る基地局装置２００および移動局装置１００の処理フローチャートである。
基地局装置２００では、基地局装置２００と移動局装置１００の間に無線リンクが確立されているとき、移動局装置１００の自局宛てのＲＬＣパケットデータバッファの送信データ量が予め設けられた閾値より大きい場合（ステップＳ１０／ＹＥＳ）、ＣＱＩ有無判断手段でＣＱＩ受信可否をチェックする（ステップＳ１１）。
正常なＣＱＩ値が受信された場合（ステップＳ１１／ＹＥＳ）、下り共用データチャネルを通じて送信データのスケジューリングを行い、当該移動局装置１００宛てのＲＬＣパケットデータバッファが空になるまで、ＡＭＣ方式によりデータを送信する（ステップＳ１２、Ｓ１３）。
【００６６】
一方、ＣＱＩ値が無い場合（ステップＳ１１／ＮＯ）、下りリンク信号制御手段により移動局装置１００の予め定義された間欠受信期間に合わせて下り共用制御チャネルＨＳ−ＳＣＣＨのサブフレーム送信タイミングを調整して（ステップＳ１４）、下り共用データチャネルを通じて送信データのスケジューリングを行い、ＡＭＣ方式によりデータを送信し（ステップＳ１５）、当該移動局装置１００宛てのＲＬＣパケットデータバッファが空でなければ（ステップＳ１６／ＮＯ）、ステップＳ１１に戻る。
但し、送信再開時に、移動局装置１００の処理遅延及び上りリンク無線伝搬路の遅延により移動局装置１００からのフィードバックＣＱＩ値が無いため、ＡＭＣ方式に定義された低位ＭＣＳモードを使用する。または、下り共用制御チャネルＨＳ−ＳＣＣＨのサブフレーム制御情報のＭＣＳフィールドに当該移動局装置ＩＤ情報だけを送信し、ＭＣＳモード情報の送信は、当該移動局装置１００からのフィードバックＣＱＩ値が有ると判断された時点から再開する。
【００６７】
一方、基地局装置２００と移動局装置１００の間に無線リンクが確立されているとき、基地局装置２００は移動局装置１００宛てのＲＬＣパケットデータバッファの送信データ量が予め設けられた閾値より小さい場合（ステップＳ１０／ＮＯ）、少量なデータであるため、下り共用データチャネルＨＳ−ＰＤＳＣＨを使用しない、下り共用制御チャネルＨＳ−ＳＣＣＨなど制御チャネルを使用して、移動局装置１００宛てのＲＬＣパケットデータバッファが空になるまで繰り返す（ステップＳ１７、Ｓ１８）。
【００６８】
移動局装置１００では、基地局装置２００と移動局装置１００の間に無線リンクが確立されているとき、下り共用データチャネルにおいて、基地局装置２００によりスケジューリングされ、ＡＭＣ方式より送信された移動局装置１００宛てのデータを受信する（ステップＳ２０）。
下りリンク信号の無線伝搬路特性の推定を行い、下りリンク信号品質情報ＣＱＩを算出し、基地局装置２００にフィードバックする（ステップＳ２１）。
送受信データ判断手段により移動局装置１００宛てのデータの有無を判断し、受信データが無い場合（ステップＳ２２／ＹＥＳ）、送受信制御手段によりＣＱＩ値の基地局装置２００へのフィードバックを中止し（ステップＳ２３）、そのあと移動局装置１００は間欠受信モードに入る。
次に、移動局装置１００の予め定義された間欠受信期間中で受信部を動作させ、移動局装置１００宛てのデータの有無を判断し、移動局装置１００宛てのデータが有る場合（ステップＳ２４／ＹＥＳ）、ステップＳ２０へ戻って受信部を継続動作させ、移動局装置１００宛てのデータを受信する。
また、移動局装置１００宛てのデータが無い場合（ステップＳ２４／ＮＯ）、ステップＳ２３へ戻って受信部は間欠受信モードを継続させる。
【００６９】
なお、上記の各図においては周波数を標記していないが、周波数軸において、図６に示したＯＦＤＭのような各サブキャリアなどを用いた場合においても本発明は適用できる。
図６は、直交周波数・符号分割多重（ＯＦＣＤＭ：Ｏｒｔｈｏｇｏｎａｌ  Ｆｒｅｑｕｅｎｃｙ  ａｎｄ  Ｃｏｄｅ  Ｄｉｖｉｓｉｏｎ  Ｍｕｌｔｉｐｌｅｘｉｎｇ、またはＳｐｒｅａｄ−ＯＦＤＭ）方式の下りリンク信号構成を示している。構成例として、例えば、符号番号Ｎである拡散符号＃Ｎのチャネルは下り共通制御チャネルと下り共用制御チャネルを含み、拡散符号＃１から拡散符号＃（Ｎ−１）までの多重チャネルは下り共用データチャネルを含むことができる。
【００７０】
なお、ＣＱＩ値としてＳＩＮＲを用いる場合について示したが、受信品質として移動局装置のサブキャリア毎の受信電力、サブキャリア毎ＳＩＮＲ、サブキャリア毎ＳＮＲまたはＳＩＲ、複数サブキャリアによる構成されたサブキャリアブロック毎のＳＩＮＲ、複数サブキャリアによる構成されたサブキャリアブロック毎のＳＮＲまたはＳＩＲ、複数サブキャリアブロックによる構成されるサブキャリアブロックグループ毎のＳＩＮＲ、複数サブキャリアブロックによる構成されるサブキャリアブロックグループ毎のＳＮＲまたはＳＩＲなどを用いた場合においても本発明は適用できる。ＣＱＩ値は下りリンク信号の無線伝搬路特性の推定値から求める方法に限定するものではなく、他の方法を用いてもよい。
【００７１】
なお、ユーザデータ単位としてサブフレームを用いる場合について示したが、図９に示したフレームより短いスロット（ＴＴＩ：Ｔｒａｎｓｍｉｓｓｉｏｎ  Ｔｉｍｅ  Ｉｎｔｅｒｖａｌ）、または予め設定された時間間隔、可変な時間間隔、または周波数軸において、各サブキャリア、または幾つかのサブキャリアを１つのブロックにして、ＣＱＩに基づく適応的にユーザに割り当てる方法などを用いた場合においても本発明は適用できる。
【００７２】
＜実施形態２＞
本発明の実施形態２の基本概念として、パケット通信中において、移動局装置は、当該移動局装置宛てのデータの有無を判断し、当該移動局装置宛てのデータが無い場合、下りリンク信号品質情報ＣＱＩのフィードバックを停止し、移動局装置の予め定義された間欠受信期間に、例えば、下り共通制御チャネルおよび／または下り共用制御チャネルにあるページング情報（例えば、ページング指標チャネルＰＩＣＨに定義した移動局装置のページング指標ＰＩ）および／または当該移動局装置宛てのデータ制御情報（例えば、移動局装置ＩＤ情報を含むデータスケジュリング情報）の受信期間および／またはセルサーチ（例えば、共通パイロットチャネルが定義した移動局装置のセルサーチ）期間に受信部を動作させる間欠受信を行い、受信部動作期間中に、当該移動局装置宛てのデータの有無を判断し、当該移動局装置宛てのデータが有る場合、当該移動局装置宛てのデータの受信を再開することである。
【００７３】
また、基地局装置は、下りリンク信号品質情報ＣＱＩフィードバックの有無を判断し、ＣＱＩ値が無く、且つ当該移動局装置に送信データが有る場合、および／または移動局装置の予め定義された間欠受信期間に、例えば、下り共通制御チャネルおよび／または下り共用制御チャネルにあるページング情報（例えば、ページング指標チャネルＰＩＣＨに定義した移動局装置のページング指標ＰＩ）および／または当該移動局装置宛てのデータ制御情報（例えば、移動局装置ＩＤ情報を含むデータスケジュリング情報）の受信期間および／またはセルサーチ（例えば、共通パイロットチャネルが定義した移動局装置のセルサーチ）期間に、当該移動局装置宛てのデータ制御情報および／または移動局装置宛てのデータを送信し、移動局装置の予め定義された間欠受信期間に、当該移動局装置宛てのデータ制御情報を送信する時点から、下りリンク信号品質情報ＣＱＩがフィードバックされる時点までの間に、当該移動局装置宛ての有効なパケットデータを送信しない、またはＡＭＣ方式に定義された低位ＭＣＳモードを使用し、当該移動局装置宛てのデータを送信することである。
本発明の実施形態２に係る移動局装置および基地局装置の構成について、一例として、直交周波数分割多元接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式を用いて説明する。
【００７４】
図７は、本発明の実施形態２に係る移動局装置の構成図である。図７において、図３と同じものは同じ符号を付し詳細な説明を省略する。図３の相違としては、逆拡散部１３３がＯＦＤＭ復調部１３６で、拡散部１４２がＯＦＤＭ変調部１４５と入れ替わっている。
【００７５】
図８は、本発明の実施形態２に係る基地局装置の構成図である。図８において、図４と同じものは同じ符号を付し詳細な説明を省略する。図４の相違としては、逆拡散部２１０がＯＦＤＭ復調部２１５で、拡散部２０３がＯＦＤＭ変調部２１４と入れ替わっている。
【００７６】
移動局装置１００では、アンテナ１１０から基地局装置２００の下りリンク信号を受信し、ＤＵＰ１２０、無線受信部１３１、直交復調部１３２を経て、ＯＦＤＭ復調部１３６に入力する。ＯＦＤＭ復調部１３６は、ＯＦＤＭ信号のフレーム同期処理、ＦＦＴ（Ｆａｓｔ  Ｆｏｕｒｉｅｒ  Ｔｒａｎｓｆｏｒｍ）変換、およびパラレル／シリアル変換して復号化部１３４に出力する。ＯＦＤＭ復調部１３６は、復調過程に下りリンク信号の無線伝搬路特性の推定結果を利用している。
【００７７】
基地局装置２００では、アンテナ２０６から移動局装置１００の上りリンク信号を受信し、上りリンク信号をＤＵＰ２０７、無線受信部２０８、直交復調部２０９を経て、ＯＦＤＭ復調部２１５に入力する。ＯＦＤＭ復調部２１５は、ＯＦＤＭ信号のフレーム同期処理、ＦＦＴ変換、およびパラレル／シリアル変換により、復号化部２１１に出力する。
【００７８】
図９は、直交周波数分割多元接続（ＯＦＤＭＡ）方式を適用した下りリンクの構成図の一例である。図９に示したように、周波数・時間の無線リソースは、共通パイロットチャネルＣＰＩＣＨ、下り共通制御チャネル、下り共用制御チャネルおよび下り共用データチャネルに配分されている。共通パイロットチャネルと下り共通・共用制御チャネルは、全周波数帯域に渡る時間スロット単位に割り当てる。また、下り共用データチャネルは、各ユーザのパケットデータを割り当てる。また、下り共通・共用制御チャネルには、ページング指標チャネルＰＩＣＨが定義した自局宛てのページング指標ＰＩ情報、及びページングチャネルＰＣＨが定義したページング情報に相当するページング制御情報および／または自局宛てのデータ制御情報が含まれている。
【００７９】
例えば、全周波数帯域に渡る周波数ダイバシチー効果を得られる時間分割多重（ＴＤＭ）チャネルにユーザＡ、Ｂ、Ｃ、Ｄを割当て、時間スロット（ＴＴＩ：Ｔｒａｎｓｍｉｓｓｉｏｎ  Ｔｉｍｅ  Ｉｎｔｅｒｖａｌ）と周波数ブロック（Ｃｈｕｎｋ  ＢＷ）によりマルチユーザダイバシチー効果を得られる時間・周波数分割多重（ＴＤＭ／ＦＤＭ：Ｔｉｍｅ  Ｄｉｖｉｓｉｏｎ  Ｍｕｌｔｉｐｌｅｘ  ／  Ｆｒｅｑｕｅｎｃｙ  Ｄｉｖｉｓｉｏｎ  Ｍｕｌｔｉｐｌｅｘ）チャネルにユーザＥ、Ｆ、Ｇ、Ｈ、Ｉを割り当てる。
【００８０】
図９に共通パイロットチャネルと下り共通・共用制御チャネルは、フレームの先頭に全周波数帯域に渡る時間スロット単位に割り当てることを示しているが、図１０に示したように、共通パイロットチャネルおよび下り共通・共用制御チャネルは、周波数分割多重（ＦＤＭ）で、交互に配置することもできる。また、図１１に示したように、共通パイロットチャネル・共用制御チャネルは各時間スロット（ＴＴＩ）の先頭に配置することもできる。図１１の場合では、共通制御チャネルは下りチャネル全体帯域の中心に配置している。
【００８１】
本発明の実施形態２に係る移動局装置１００の送受信制御手段は図１と同じである。自局宛てのデータ（例えば、図９のユーザＡ）が無いと判断された場合、予め設けられた遅延時間（Ｄｅｌａｙ３）のあとに、下りリンク信号品質情報ＣＱＩの上り送信を停止する。下りリンク信号品質情報ＣＱＩの上り送信停止は、自局に割当てられたＭＣＳフィールドの送信電力をゼロにするか、自局に割当てられたＭＣＳフィールドの無線リソースをリリースすることができる。
【００８２】
移動局装置は、送信データバッファに送信パケットがあった場合、自局に割当てられたＭＣＳフィールドに下りリンク信号品質情報ＣＱＩの送信を再開する。自局に割当てられたＭＣＳフィールドの無線リソースがリリースされた場合、上りリンクのランダムアクセスチャネルＲＡＣＨ（Ｒａｎｄｏｍ  Ａｃｃｅｓｓ  Ｃｈａｎｎｅｌ）、または上りリンク共用制御チャネルＳＣＳＣＨ（Ｓｈａｒｅｄ  Ｃｏｎｔｒｏｌ  Ｓｉｇｎａｌｉｎｇ  Ｃｈａｎｎｅｌ）を用いて、基地局に無線リソースの割当てを要求することができる。
【００８３】
図９の場合では、下り共通・共用制御チャネルに含まれるページング制御情報に定義した自局宛ページング情報および／または自局宛てのデータ制御情報の受信期間Ｔｃおよび共通パイロットチャネルが定義した自局セルサーチ期間Ｔｐに、すなわち、自局の予め定義された間欠受信期間に受信部を動作させ、自局の予め定義された間欠受信期間以外に、受信部の動作を再び停止させる間欠受信モードに入る。
【００８４】
図１０の場合では、下り共通・共用制御チャネルに含まれるページング制御情報に定義した自局宛ページング情報および／または自局宛てのデータ制御情報の受信期間Ｔｐｃおよび共通パイロットチャネルが定義した自局セルサーチ期間Ｔｐｃに、すなわち、自局の予め定義された間欠受信期間に受信部を動作させ、自局の予め定義された間欠受信期間以外に、受信部の動作を再び停止させる間欠受信モードに入る。
【００８５】
図１１の場合では、下り共用制御チャネルに含まれるページング制御情報に定義した自局宛ページング情報および／または自局宛てのデータ制御情報の受信期間Ｔｐｃおよび共通パイロットチャネルと下り共通制御チャネルが定義した自局セルサーチ期間（フレーム先頭の１つＴＴＩ期間）に、すなわち、自局の予め定義された間欠受信期間に受信部を動作させ、自局の予め定義された間欠受信期間以外に、受信部の動作を再び停止させる間欠受信モードに入る。
【００８６】
図１１の場合、各ＴＴＩ先頭の下り共用制御チャネルに含まれるページング制御情報に定義した自局宛ページング情報および／または自局宛てのデータ制御情報は、グルーピングされた複数のユーザに割り当てることができるため、各移動局装置は異なる下り共用制御チャネル（異なる受信期間）に割り当てることができる。すなわち、異なる移動局装置は予め定義された異なる間欠受信期間に受信部を動作させ、予め定義された移動局装置の間欠受信期間以外に、受信部の動作を再び停止させる間欠受信モードに入る。例えば、ユーザＡはフレーム先頭のＴｐｃ期間を含むフレーム先頭から１つＴＴＩ期間を間欠受信期間とし、ユーザＢはフレーム先頭から１つＴＴＩ期間と３番目ＴＴＩに含まれるＴｐｃ期間を間欠受信期間とすることができる。
【００８７】
本発明の実施形態２に係る基地局装置２００の下りリンク信号制御手段は図２と同じである。基地局装置２００は下りリンク信号制御手段により、下りリンク信号品質情報ＣＱＩが無く（ＭＣＳフィールドの受信電力または無線リソース割当ての有無で判断する）、且つＲＬＣパケットデータバッファに移動局装置１００宛てのデータがある場合、前記の図９，図１０，図１１に対応した当該移動局装置の予め定義された間欠受信期間に、移動局装置１００宛てのデータ制御情報のデータを送信する。送信データの再開時にＡＭＣ方式に定義された低位ＭＣＳモードを使用する。または、下り共用制御チャネルＨＳ−ＳＣＣＨのサブフレーム制御情報のＭＣＳフィールドに当該移動局装置ＩＤ情報だけを送信し、ＭＣＳモード情報の送信は、当該移動局装置１００からのフィードバックＣＱＩ値が有ると判断された時点から再開する。
【００８８】
基地局装置では、ＭＣＳフィールドの受信電力の有無で、移動局装置のパケット送信の再開の有無を判断する。ＭＣＳフィールドの無線リソースがリリースされた場合、上りリンクのランダムアクセスチャネルＲＡＣＨ（Ｒａｎｄｏｍ  Ａｃｃｅｓｓ  Ｃｈａｎｎｅｌ），及び/または上りリンク共用制御チャネルＳＣＳＣＨ（Ｓｈａｒｅｄ  Ｃｏｎｔｒｏｌ  Ｓｉｇｎａｌｉｎｇ  Ｃｈａｎｎｅｌ）に無線リソース割当て要求の有無で、移動局装置のパケット送信の再開の有無を判断する。
【００８９】
基地局装置２００および移動局装置１００の処理フローチャートは、図５と同じため省略する。なお、ＣＱＩ値についても、実施形態１と同様に他の方法を用いても本発明を適用できる。
【００９０】
なお、図９に、全周波数帯域に渡る周波数ダイバシチー効果を得られる時間分割多重（ユーザＡ、Ｂ、Ｃ、Ｄ）または、マルチユーザダイバシチー効果を得られる時間・周波数分割多重（ユーザＥ、Ｆ、Ｇ、Ｈ、Ｉ）を示したが、予め設定された時間間隔、可変な時間間隔、または周波数軸において、各サブキャリア、または幾つかのサブキャリアを１つの可変なブロック、またはいくつかのブロックを１つのプロックグループにして、ＣＱＩに基づく適応的にユーザに割り当てる方法などを用いた場合においても本発明は適用できる。
【００９１】
なお、本発明の移動体通信システム、移動局装置および基地局装置の各機能を実現させるコンピュータプログラムとしても実現可能である。このプログラムは、コンピュータで読み取り可能な記録媒体に格納されており、各処理は上記プログラムによって実現される。
この記録媒体として、メインメモリそのものがプログラムメディアであってもよいし、また外部記憶装置としてプログラム読み取り装置が設けられ、そこに記録媒体を挿入することで読み取り可能なプログラムメディアであってもよい。
【００９２】
ここで、上記プログラムメディアは、磁気テープやカセットテープなどのテープ系、フレキシブルディスクやハードディスク等の磁気ディスクやＣＤ−ＲＯＭ／ＭＯ／ＭＤ／ＤＶＤなどの光ディスクなどのディスク系、ＩＣカード（メモリカードを含む）や光カード等のカード系、あるいはマスクＲＯＭ、ＦＰＲＯＭ、ＥＥＰＲＯＭ、フラッシュＲＯＭ等による半導体メモリを含めた固定的にプログラムを担持する媒体など、いずれであってもよい。
【００９３】
また、本実施形態においては、ネットワークに接続可能な構成であることから、記憶装置に格納された上記プログラムを、ネットワークを介してサーバコンピュータから直接供給を受けるようにしてもよい。この場合、このサーバコンピュータの記憶装置も本発明の記録媒体に含まれる。
このように、上述した実施形態の各機能をプログラム化して流通させることによって、コストの低廉化、および可搬性や汎用性を向上させることができる。
【図１】
0004628424.tif 000002
【図２】
0004628424.tif 000003
【図３】
0004628424.tif 000004
【図４】
0004628424.tif 000005
【図５】
0004628424.tif 000006
【図６】
0004628424.tif 000007
【図７】
0004628424.tif 000008
【図８】
0004628424.tif 000009
【図９】
0004628424.tif 000010
【図１０】
0004628424.tif 000011
【図１１】
0004628424.tif 000012
【図１２】
0004628424.tif 000013
【図１３】
0004628424.tif 000014
【図１４】
0004628424.tif 000015